(57)【要約】      （修正有）【課題】パーテーションを折り畳むことなく、卓上、室内などに立設可能であって、設置スペースが少なくて済み、吸音効果を発揮でき、視界を遮ることなく、お互いの視線、存在が感じられる視認性があることで、対面でコミュニケーションが取れ、作業時の圧迫感を軽減でき、飛沫防止の効果も期待できる立設可能なパーテーションを提供する。【解決手段】パーテーション１は、吸音ボード２と、吸音ボード２を保持するための保持用部品３ａ、３ｂと、板状部材４ａ、４ｂとを備え、保持用部品３ａ、３ｂは吸音ボード２を挟持し、板状部材４ａ、４ｂは透光性を備え、板状部材４ａ、４ｂは吸音ボード２の一側面に配置される。【選択図】図１
0003233407.tif 000002
【実用新案登録請求の範囲】
【請求項１】
吸音ボードと、
前記吸音ボードを保持するための保持用部品と、
板状部材とを備え、
前記保持用部品は、前記吸音ボードを挟持し、
前記板状部材は、透光性を備え、
前記板状部材は、前記吸音ボードの一側面に配置されたパーテーション。
【請求項２】
吸音ボードと、
前記吸音ボードを保持するための保持用部品とを備え、
前記保持用部品は、バネ性を有した弾性部材で前記吸音ボードを挟持するパーテーション。
【請求項３】
複数の吸音ボードを組み合わせたパーテーションであって、
前記吸音ボードのそれぞれは、切欠き部を備え、
前記複数の吸音ボードの切欠き部を相互に篏合することで立設可能であるパーテーション。
【請求項４】
表面に切り込みが設けられた屈曲部を備える吸音ボードを備えたパーテーション。
【請求項５】
吸音ボードと、
透光性を有する板状部材とを備え、
前記吸音ボードの一側面には溝が設けられ、前記板状部材が挿入されているパーテーション。
【請求項６】
テーブルの縁部に固定するためのクランプ部を備えた請求項４または請求項５に記載のパーテーション。
【請求項７】
吸音ボードの一側面に透光性を有する板状部材が配置された請求項３に記載のパーテーション。
【考案の詳細な説明】
【技術分野】
【０００１】
本考案は、パーテーションに関する。
【背景技術】
【０００２】
従前より、オフィスなどで空間を簡単に間仕切りができる吸音素材のパーテーションが流通している。特許文献１には、吸音効果を発揮できる折り畳み衝立が開示されている。
【先行技術文献】
【特許文献】
【０００３】
【特許文献１】特開２０１９−１９６６４０号公報
【考案の概要】
【考案が解決しようとする課題】
【０００４】
しかしながら、上記技術では、自立させることを想定すると、衝立を折り畳む必要があり、設置スペースを確保しなければならないという問題がある。また、上記技術では、視界が遮られてしまう。オフィスなどでは、お互いの視線、存在が確認できない場合、対面でのコミュニケーションが取れず、また、作業時に圧迫感を感じる場合がある。
【０００５】
本考案は、係る問題に鑑みてなされたものであり、設置スペースが少なくてすみ、吸音効果の発揮できるパーテーションを提供することを目的とする。また、対面でのコミュニケーションが取りやすく、作業時の圧迫感を軽減でき、飛沫を防止できるパーテーションを提供することを目的とする。
【課題を解決するための手段】
【０００６】
上記課題を解決するために本考案に係る様態は、吸音ボードと、吸音ボードを保持するための保持用部品と、板状部材とを備え、保持用部品は吸音ボードを挟持し、板状部材は透光性を備え、板状部材は吸音ボード２の一側面に配置されたパーテーションである。
【考案の効果】
【０００７】
上述の構成により、パーテーションを折り畳むことなく、卓上、室内などに立設可能であって、設置スペースが少なくて済み、吸音効果が発揮できる。また、視界を遮ることなく、お互いの視線、存在が感じられる視認性があることで、対面でコミュニケーションが取れ、作業時の圧迫感を軽減でき、飛沫防止の効果も期待できる立設可能であるという効果を持つ。
【図面の簡単な説明】
【０００８】
【図１】（ａ）本考案の第１の実施形態に係るパーテーション１の斜め左上方から見た斜視図、（ｂ）本考案の第１の実施形態に係る吸音ボード２の上部の側面図である。
【図２】（ａ）本考案の第１の実施形態に係る保持用部品３を斜め右上方から見た斜視図、（ｂ）図２（ａ）の正面図、（ｃ）図２（ａ）の上面図、（ｄ）図２（ａ）の側面図
【図３】本考案の第1の実施形態に係る固定挟持片３２と可動挟持片３３をボード保持部からみた側面図を模式的に表した図である。
【図４】（ａ）本考案の第１の実施形態の変形例に係る保持用部品３Ｒに吸音ボードを組み合わせた形態を斜め右上方から見て模式的に表した斜視図、（ｂ）保持用部品３Ｒの正面図、（ｃ）保持用部品３Ｒの一部上面図、（ｄ）保持用部品３Ｒの一部側面図
【図５】（ａ）本考案の第２の実施形態に係るパーテーション５の斜め右上方から見た斜視図、（ｂ）図３（ａ）の各ボードの組立て前の図である。
【図６】（ａ）本考案の第２の実施形態の変形例２に係るパーテーション５の斜め右上方から見た斜視図、（ｂ）図３（ａ）の組立て前の図である。
【図７】（ａ）本考案の第３実施形態に係るパーテーション７の斜め右上方から見て模式的に表した斜視図、（ｂ）図４（ａ）の上面図、（ｃ）図４（ａ）の正面図である。
【図８】（ａ）本考案の第３の実施形態に係るパーテーション７の背面斜め左上方からみた斜視図、（ｂ）図７（ａ）において、屈曲部８１ａの周辺を、屈曲しない状態で拡大した模式図である。
【図９】（ａ）本考案の第３実施形態に係るパーテーション７をテーブルに設置した状態を、斜め右上方から見て模式的に表した斜視図、（ｂ）本考案の第３実施形態に係る固定クランプ９ａの正面図、（ｃ）固定クランプ９ａの右側面図である。なお、図９（ｂ）及び（ｃ）については、説明を容易にするために、吸音ボード８及びテーブルＴを記載している。
【考案を実施するための形態】
【０００９】
＜第１の実施形態＞
以下、本考案の第１の実施形態に係るパーテーション１について図面を参照しながら説明する。
【００１０】
本考案の第１実施形態に係るパーテーション１は、図１（ａ）に示すように、卓上などに設置される平板状のパーテーションである。パーテーション１は、吸音ボード２、透光性を有する板状部材４ａ及び板状部材４ｂ、保持用部品３ａ及び保持用部品３ｂを備える。以下、板状部材４ａ及び板状部材４ｂを板状部材４と総称し、保持用部品３ａ及び保持用部品３ｂを保持用部品３と総称する場合がある。保持用部品３は、吸音ボード２を卓上などに立設させる部品である。本実施形態では、一例として、吸音ボード２の高さは約４５０ｍｍ、板状部材の露出部分の高さは約２００ｍｍであり、パーテーション１の全高は約６５０ｍｍである。この構成によれば、オフィス、店舗などの卓上に簡単設置することができる。一般的なオフィスなどの机の高さは７００ｍｍから７２０ｍｍ程度であるので、オフィスなどの机上に設置すると、透光性を備える板状部材４が、ちょうど人の顔あたりに位置する。この高さにすることで、人の視界を遮ることなく視認性を確保したうえで、吸音ボード２の吸音効果と、吸音ボード２と板状部材４の組み合わせによる飛沫防止効果とを併せ持つことができる。また、パーテーション１は、保持用部材３により保持されて立設するので、立設させるのに折り畳む必要がない。
【００１１】
吸音ボード２は、吸音性を有する材質、例えば、ポリエステルをフェルト状に成型した平板状部材である。吸音ボード２の一側面である上辺部には、板状部材４を挿入し配置するための板状部材４の厚みに合わせた深さ約７０ｍｍの溝状の挿入部２３が設けられている。挿入部２３は、図１（ｂ）に示すように、内側吸音板２２を、２枚の外側吸音板（２１ａ，２１ｂ）で挟み込み、相互に貼り合わせることで形成されている。本実施形態では、内側吸音板２２も吸音性を有しているが、必ずしも吸音性を有さなくてもよい。
【００１２】
板状部材４は、アクリル製であって透光性を有する平板状部材である。透光性があることで、オフィスなどで視界を遮ることなく作業ができる。第１の実施形態では、材質はアクリル製で、平板状であるが、これに限らず透光性を備えれば足りる。例えば、ポリカーボネートなどの別の樹脂であってもよいし、ガラスでもよい。また、任意の拡散性があってもよいし、表面に凹凸があってもよい。板状部材４は、本実施形態のように複数枚配置してもよいし、１枚だけ配置してもよい。板状部材４は着脱可能に構成されており、板状部材４を洗浄する際に取り外せるため都合がよい。
【００１３】
また、吸音ボード２の下部には、図１（ａ）に示すように、保持用部品３を配置し、吸音ボード２と板状部材４を組み合わせた状態で立設することができる。
【００１４】
保持用部品３は、金属製であって、吸音ボード２を卓上などに設置する際に使用する部品である。保持用部品３は、図２（ａ）から（ｄ）に示すように、プレート３１、固定挟持片３２、可動挟持片３３を備える。固定挟持片３２は、ボード保持部３２１、オスレール部（３２２ａ，３２２ｂ）、保持ネジ穴３２３を備える。可動挟持片３３は、ボード保持部３３１、メスレール部（３３２ａｉ，３３２ａｏ，３３２ｂｉ，３３２ｂｏ）、保持ネジ用貫通穴３３３を備える。以下、オスレール部（３２２ａ，３２２ｂ）をオスレール部３２２、メスレール部（３３２ａｉ，３３２ａｏ，３３２ｂｉ，３３２ｂｏ）をメスレール部３３２と総称する場合がある。固定挟持片３２は、図２（ｂ）及び図２（ｃ）に示すように、2本の固定ネジ３５でプレート３１に固定される。可動挟持片３３は、図２（ｂ）及び図２（ｃ）に示すように、保持ネジ３４を用いて固定挟持片３２に固定される。保持ネジ３４を締め込むことで固定挟持片３２と可動挟持片３３との間隔が狭まり、保持ネジ３４を緩めることで固定挟持片３２と可動挟持片３３との間隔が広がる。ここで、オスレール部３２２は、ボード保持部３２１の内側の面から、その面に直交する向きに突出している。同様にメスレール部３３２は、ボード保持部３３１の内側の面から、その面に直交する向きに突出している。図３に示すように、オスレール部３２２とメスレール部３３２は、ちょうど篏合するような形状に形成されている。この構成により、保持用部材３は、可動挟持片３３を、短手方向にずれることなく、プレート３１の長手方向にスライドさせて、その位置を固定することができる。可動挟持片３３がスライドすることで、固定挟持片３２のボード保持部３２１と、可動挟持片３３のボード保持部３３１との距離を可変することができ、吸音ボード２の厚みに応じて適宜調整し、ボード保持部３２１の内側の面と、ボード保持部３３１の内側の面とで吸音ボード２を適切に保持することができる。
なお、設置する際は、プレート３１の底面にネジ用穴を設けてネジにより、設置する面に固定してもよい。本実施形態では、保持用部品３の材質は金属製であるが、適度な剛性があれば足り、樹脂などでもよい。
【００１５】
＜第１の実施形態の変形例＞
第１の実施形態では、保持用部品３は、固定挟持片３２と可動挟持片３３とで挟み込むことにより吸音ボード２を保持したが、これに限らず、吸音ボードが保持できれば足りる。例えば、図４（ａ）に保持用部品３Ｒで吸音ボード２Ｒを保持したパーテーション１Ｒを示す。保持用部品３Ｒは、レール状の形態であって、底部３Ｒ１、壁部（３Ｒ２ａ，３Ｒ２ｂ）、折り返し部（３Ｒ３ａ，３Ｒ３ｂ）、保持部（３Ｒ４ａ，３Ｒ４ｂ）を備える。以下、壁部（３Ｒ２ａ，３Ｒ２ｂ）を壁部３Ｒ２、折り返し部（３Ｒ３ａ，３Ｒ３ｂ）を折り返し部３Ｒ３、保持部（３Ｒ４ａ，３Ｒ４ｂ）を保持部３Ｒ４と総称する場合がある。図４（ｂ）に示すように、底部３Ｒ１が形成する底面より、略垂直に壁部３Ｒ２が配され、折り返し部３Ｒ３を介して保持部３Ｒ４が配される。このように、部材が折り返された様な形状に成型されていることで、素材の弾性力と折り返し部によるバネ性によって、吸音ボード２Ｒを保持することができる。保持部３Ｒ４の吸音ボード２Ｒに接する部分は、ギザギザ形状になっている。このギザギザ形状の各先端は、底部方向に向いているため、吸音ボード２Ｒを装着したときに、吸音ボード２Ｒが外れにくくなっている。なお、保持用部品３Ｒの底部３Ｒ２にネジ用穴を設けてネジにより設置面に固定してもよい。本変形例では、保持用部品３Ｒの材質は樹脂製で、一体形状で成型されているが、適度な剛性と弾性があれば足り、金属などの素材でもよい。また弾性を備える部分、すなわち、壁部３Ｒ２、折り返し部３Ｒ３、保持部３Ｒ４のそれぞれは、底部３Ｒ１とは別個独立した部品としてもよい。
【００１６】
＜第２の実施形態＞
本考案の第２の実施形態は、図５に示すように、吸音ボードを相互に組み合わせ、コの字型にして自立可能としたパーテーションである。パーテーション５は、中間用ボード５１、端用ボード（５２ａ，５２ｂ）、中間支柱ボード５３を備える。
【００１７】
中間用ボード５１は、図５（ａ）及び（ｂ）に示すように、切欠き部（５１１ａ，５１１ｂ，５１１ｃ）、配線通路（５１２ａ，５１２ｂ）を備える。端用ボード（５２ａ，５２ｂ）は、それぞれ、切欠き部（５２１ａ，５２１ｂ）を備える。中間支柱ボード５３は、切欠き部５３１ｃを備える。以下、切欠き部（５１１ａ，５１１ｂ，５１１ｃ）を切欠き部５１１、配線通路（５１２ａ，５１２ｂ）を配線通路５１２、端用ボード（５２ａ，５２ｂ）を端用ボード５２、切欠き部（５２１ａ，５２１ｂ）を切欠き部５２１と総称する場合がある。中間用ボード５１の切欠き部５１１ａに、端用ボード５２ａの切欠き部５２１ａを、同様に、中間用ボード５１の切欠き部５１１ｂに、端用ボード５２ｂの切欠き部５２１ｂを、それぞれ篏合し装着させることにより、吸音ボードをコの字型の形態とし、机上や卓上などに立設することができる。パーテーション５の全高は約４００ｍｍである。この構成によれば、机上の正面に加えて、左側及び右側を仕切ることができる。このとき、中央の切欠き部５１１ｃに中間支柱ボード５３の切欠き部５３１ｃを、同様に篏合し装着させることにより、中間ボードの強度を向上させ見栄えを良くすることができる。それぞれの切欠き部の高さ方向の長さは、各ボードの高さの半分程度の約２００ｍｍであり、各切欠き部の幅方向の長さは各ボードの厚み程度である。こうすることで、中間ボード５１に対して、端用ボード５２と中間支柱ボード５３をずれることなく配置することができる。配線通路５１２は、卓上でディスプレイを使用するときなど、必要な配線を通すための通路である。なお、配線通路５１２は、配線の必要が無い場合には設けなくてもよい。
【００１８】
＜第２の実施形態の変形例１＞
本実施形態では、中間用ボード５１には３つの切欠き部（５１１ａ，５１１ｂ，５１１ｃ）があり、端用ボード５２には、それぞれ１つの切欠き部５２１を備えているが、これに限らず、切欠き部は各ボードに少なくとも１つあれば足りる。例えば、中間用ボード５１の切欠き部５１１を１つにして、中間支柱ボード５３を使用せずに、端用ボード５２を１つ組み合わせて、Ｌ字型の形態とし、２方向に亘る仕切りとして立設してもよい。中間用ボード、端用ボード、中間支柱ボード、それぞれの大きさ、切欠き部の数を変更することにより、様々な形状に組み合わせることが可能となる。なお、端用ボード５２、中間支柱ボード５３は、必ずしも吸音性を備えなくともよい。
【００１９】
＜第２の実施形態の変形例２＞
第２の実施形態は、吸音ボードだけの組み合わせで構成されていた。この第２の実施形態に、第１の実施形態で示したような透光性を有する板状部材を組み合わせてもよい。一例として、第２の実施形態の中間用ボード５１の上方に、ジョイント部材（５５ａ，５５ｂ，５５ｃ）、板状部材５４を配置したパーテーションを図６（ａ）及び（ｂ）に示す。以下、ジョイント部材（５５ａ，５５ｂ，５５ｃ）を、ジョイント部材５５と総称する場合がある。ジョイント部材５５は、上下に切欠き部を備え、下方に中間用ボード５１、上方に板状部材５４を挟持し、相互に保持するための部材である。本変形例では、板状部材５４は、実施形態１で示した板状部材４と同様な透光性を有したアクリル製部材である。この構成によれば、第１の実施形態と同様に、人の視界を遮ることなく視認性を確保したうえで、吸音ボードの吸音効果と、吸音ボードと板状部材の組み合わせによる飛沫防止効果とを併せ持つことができる。なお、本変形例では、中間用ボード５１の上方に板状部材５４を配置したが、これに限らず、端用ボード５２の上方に適合した板状部材を配置してもよい。
【００２０】
＜第３の実施形態＞
本考案の第３の実施形態は、図７（ａ）、（ｂ）及び（ｃ）並びに図８（ａ）及び図９（ａ）に示すように、平板状の吸音ボードを屈曲させ、テーブルなどに固定することができるパーテーションである。パーテーション７の全高は約６００ｍｍである。パーテーション７は、図７（ａ）、（ｂ）及び（ｃ）並びに図８（ａ）に示すように、屈曲部（８１ａ，８１ｂ）を備えた吸音ボード８と固定クランプ（９ａ，９ｂ，９ｃ，９ｄ）を備える。以下、屈曲部（８１ａ，８１ｂ）を屈曲部８１、固定クランプ（９ａ，９ｂ，９ｃ，９ｄ）を固定クランプ９と総称する場合がある。
【００２１】
屈曲部８１には、図８（ａ）及び（ｂ）に示すように、表面がつっぱらずに屈曲できるよう、縦の切り込み８１１が多数設けてある。本実施形態では、一つの切り込み８１１は、長さ３５ｍｍで、数量は、縦方向に１５個、横方向に２１列となる。隣り合った列の切り込みは、適宜ずれて配置される。屈曲部８１ａの切り込み８１１がある面を外側にして屈曲することにより、吸音ボード８をコの字型の形態にすることができ立設も可能である。
【００２２】
吸音ボード８は、図９（ａ）に示すように、固定クランプ９により、テーブルなどに固定することができる。固定クランプ９は、ボード固定金具（９３ａ，９３ｂ，９３ｃ，９３ｄ）、固定受け金具（９１ａ，９１ｂ，９１ｃ，９１ｄ）、調整ネジ（９２ａ，９２ｂ，９２ｃ，９２ｄ）、ボード固定ネジ（９４ａ，９４ｂ，９４ｃ，９４ｄ）、緩衝パッド（９５ａ，９５ｂ，９５ｃ，９５ｄ）を備える。図９（ｂ）及び（ｃ）に示すように、ボード固定ネジ（９４ａ，９４ｂ，９４ｃ，９４ｄ）は、それぞれが２本１組である。例えば、ボード固定ネジ９４ａは、ボード固定ネジ（９４ａｌ，９４ａｒ）を総称したものである。以下、ボード固定金具（９３ａ，９３ｂ，９３ｃ，９３ｄ）をボード固定金具９３、固定受け金具（９１ａ，９１ｂ，９１ｃ，９１ｄ）を固定受け金具９１、調整ネジ（９２ａ，９２ｂ，９２ｃ，９２ｄ）を、調整ネジ９２、ボード固定ネジ（９４ａ，９４ｂ，９４ｃ，９４ｄ）をボード固定ネジ９４、緩衝パッド（９５ａ，９５ｂ，９５ｃ，９５ｄ）を鑑賞パッド９５と総称する場合がある。調整ネジ９２ａは、ツマミ部９２１ａ、ネジ部９２２ａ、固定部９２３ａを備える。他の調整ネジ（９２ｂ，９２ｃ，９２ｄ）についても同様に、ツマミ部（９２１ｂ，９２１ｃ，９２１ｄ）、ネジ部（９２２ｂ，９２２ｃ，９２２ｄ）、固定部（９２３ｂ，９２３ｃ，９２３ｄ）を備える。以下、ツマミ部（９２２ａ，９２１ｂ，９２１ｃ，９２１ｄ）をツマミ部９２１、ネジ部（９２２ａ，９２２ｂ，９２２ｃ，９２２ｄ）をネジ部９２２、固定部（９２３ａ，９２３ｂ，９２３ｃ，９２３ｄ）を固定部９２３と総称する場合がある。
【００２３】
図９（ｂ）及び（ｃ）に示すように、ボード固定金具９３ａと固定受け金具９１ａの間に吸音ボード８を挟み込み、ボード固定ネジ（９４ａｌ，９４ａｒ）を固定受け金具９１ａ側から挿入し、ボード固定金具９３ａと締結することにより、吸音ボード８に固定クランプ９ａを適切な位置にずれることなく固定することができる。本実施形態では、４つの固定クランプ９を備える。この固定クランプ９は、図９（ａ）に示すように、テーブルの縁に沿うように配置されており、テーブルに対して吸音ボード８をずれることなく適切に設置することができる。テーブルに設置する際は、図９（ｂ）及び（ｃ）に示すように、固定受け金具９１ａと調整ネジ９２ａの固定部９２３ａとの間にテーブルＴを挟み込み、調整ネジ９２ａのツマミ部９２１ａを回すことにより固定受け金具９１ａに向かって締め付けることができる。これによりテーブルの厚みに応じて適切に固定することができる。テーブルＴに当接する部分には、固定金具９１ａにあっては、ゴム製の緩衝パッド９５ａが貼り付けされており、調整ネジ９２ａのゴム製の固定部９２３ａを配しているため、テーブルＴの表面の傷防止と、テーブルＴを固定する際の滑り止めの効果を備えることができる。本実施形態では、屈曲部８１は２箇所としているが、少なくとも１か所あればよい。例えば、屈曲部８１を多数設けることにより、円形テーブルなどに設置することもできる。
【００２４】
＜変形例＞
各実施形態のパーテーションは、一例であり変更することが可能である。以下に例を挙げて説明する。
【００２５】
各実施形態の吸音ボードは、吸音効果を向上させるために、任意の凹凸があってもよく、その角は、勾配、面取りなどを施してもよい。また、ディスプレイの配線を通すため切欠き、穴などがあってもよい。
【００２６】
第１の実施形態で示した透光性を有する板状部材と保持用部品は、各実施形態と適宜組み合わせてもよい。
【００２７】
各実施形態は、机上や卓上などに設置されることを想定したものであるが、全高を高くして、室内、屋外に設置してもよい。
【００２８】
＜考案の抽出＞
以下、更に本考案の一実施形態としてのパーテーションの構成及びその変形例と効果について説明する。
【００２９】
（１）本考案の一実施形態に係るパーテーションは、吸音ボードと、前記吸音ボードを保持するための保持用部品と、板状部材とを備え、前記保持用部品は、前記吸音ボードを挟持し、前記板状部材は、透光性を備え、前記板状部材は、前記吸音ボードの一側面に配置されたパーテーションである。
【００３０】
この構成によれば、パーテーションを折り畳むことなく、卓上、室内などに立設可能であって、設置スペースが少なくて済む、吸音効果の発揮できるパーテーションを提供することができる。また、視界を遮ることなく、お互いの視線、存在が感じられる視認性があることで、対面でコミュニケーションが取れ、作業時の圧迫感を軽減でき、飛沫防止の効果も期待できる立設可能なパーテーションを提供することができる。
【００３１】
（２）吸音ボードと、前記吸音ボードを保持するための保持用部品とを備え、前記保持用部品は、バネ性を有した弾性部材で前記吸音ボードを挟持するパーテーションである。
【００３２】
この構成によれば、吸音ボードを簡単に保持しながら設置可能な吸音効果を発揮できるパーテーションを提供することができる。
【００３３】
（３）複数の吸音ボードを組み合わせたパーテーションであって、前記吸音ボードのそれぞれは、切欠き部を備え、前記複数の吸音ボードの切欠き部を相互に篏合することで立設可能であるパーテーションである。
【００３４】
この構成によれば、複数の吸音ボードを、簡単に組み合わせて、多種多用な形状にして、さらに立設可能な吸音効果を発揮できるパーテーションを提供することができる。
【００３５】
（４）表面に切り込みが設けられた屈曲部を備える吸音ボードを備えたパーテーション。
【００３６】
この構成によれば、１枚の吸音ボードを簡単に屈曲することが可能となり、正面だけでなく、簡単に側面も仕切ることが可能な吸音効果を発揮できる立設可能なパーテーションを提供することができる。
【００３７】
（５）吸音ボードと、透光性を有する板状部材とを備え、前記吸音ボードの一側面には溝が設けられ、前記板状部材が挿入されているパーテーションである。
【００３８】
この構成によれば、簡単に吸音ボードと透光性を有する板状部材とを、保持固定することが可能となり、吸音効果を発揮するとともに、視界を遮ることなく、お互いの視線、存在が感じられる視認性があることで、対面でコミュニケーションが取れ、作業時の圧迫感を軽減でき、飛沫防止の効果も期待できるパーテーションを提供することができる。
【００３９】
（６）また、テーブルの縁部に固定するためのクランプ部を備えた前記（４）または（５）に記載のパーテーションとしてもよい。
【００４０】
この構成によれば、１枚の吸音ボードを簡単に屈曲することが可能となり、正面だけでなく、簡単に側面も仕切ることが可能な吸音効果を発揮できるパーテーションを提供することができる。また、透光性を有する板状部材を備えたときには、視界を遮ることなく、お互いの視線、存在が感じられる視認性があることで、対面でコミュニケーションが取れ、作業時の圧迫感を軽減でき、飛沫防止の効果も期待できるパーテーションを提供することができる。
【００４１】
（７）吸音ボードの一側面に透光性を有する板状部材が配置された（３）に記載のパーテーションとしてもよい。
【００４２】
この構成によれば、複数の吸音ボードを、簡単に組み合わせて、多種多用な形状にして、さらに立設可能な吸音効果を発揮できるパーテーションを提供することができる。また、透光性を有する板状部材を備えたときには、視界を遮ることなく、お互いの視線、存在が感じられる視認性があることで、対面でコミュニケーションが取れ、作業時の圧迫感を軽減でき、飛沫防止の効果も期待できるパーテーションを提供することができる。
【００４３】
このように、本考案はここで記載していない様々な実施形態等を含むことはもちろんである。したがって、本考案の技術的範囲は、上記の説明から妥当な実用新案登録請求の範囲に係る考案特定事項によってのみ定められるものである。
【符号の説明】
【００４４】
１    パーテーション
２    吸音ボード
２１，２１ａ，２１ｂ    外側吸音板
２２    内側吸音板
２３    挿入部
３    保持用部品
３１    プレート
３２    固定挟持片
３２１    ボード保持部
３２２，３２２ａ，３２２ｂ    オスレール部
３２３    保持ネジ穴
３３    可動挟持片
３３１    ボード保持部
３３２，３３２ａｉ，３３２ａｏ，３３２ｂｉ，３３２ｂｏ    メスレール部
３３３    保持ネジ用穴
３４    保持ネジ
３５    固定ネジ
４，４ａ，４ｂ    板状部材
１Ｒ    パーテーション
３Ｒ    保持用部品
３Ｒ１    底部
３Ｒ２，３Ｒ２ａ，３Ｒ２ｂ    壁部
３Ｒ３，３Ｒ３ａ，３Ｒ３ｂ    折り返し部
３Ｒ４，３Ｒ４ａ，３Ｒ３ｂ    保持部
２Ｒ  吸音ボード
５    パーテーション
５１    中間用ボード
５１１，５１１ａ，５１１ｂ，５１１ｃ    切欠き部
５１２，５１２ａ，５１２ｂ    配線通路
５２，５２ａ，５２ｂ    端用ボード
５２１，５２１ａ，５２１ｂ    切欠き部
５３    中間支柱ボード
５３１ｃ    切欠き部
５Ｖ    パーテーション
５４    板状部材
５４１，５４１ａ，５４１ｂ，５４１ｃ  切欠き部
５５，５５ａ，５５ｂ，５５ｃ    ジョイント部材
５５１，５５１ａ，５５１ｂ，５５１ｃ    板状部材用切欠き部
５５２，５５２ａ，５５２ｂ，５５２ｃ    中間ボード用切欠き部
７    パーテーション
８    吸音ボード
８１，８１ａ，８１ｂ    屈曲部
８１１    切り込み
８２，８２ａ，８２ｂ，８２ｃ，８２ｄ    クランプ部品用穴
９，９ａ，９ｂ，９ｃ，９ｄ    固定クランプ
９１，９１ａ，９１ｂ，９１ｃ，９１ｄ    固定受け金具
９２，９２ａ，９２ｂ，９２ｃ，９２ｄ    調整ネジ
９２１，９２１ａ，９２１ｂ，９２１ｃ，９２１ｄ    ツマミ部
９２２，９２２ａ，９２２ｂ，９２２ｃ，９２２ｄ    ネジ部
９２３，９２３ａ，９２３ｂ，９２３ｃ，９２３ｄ    固定部
９３，９３ａ，９３ｂ，９３ｃ，９３ｄ    ボード固定金具
９４，９４ａ，９４ｂ，９４ｃ，９４ｄ，９４ａｌ，９４ａｒ    ボード固定ネジ
９５，９５ａ，９５ｂ，９５ｃ，９５ｄ    緩衝パッド
Ｔ    テーブル
【図１】
0003233407.tif 000003
【図２】
0003233407.tif 000004
【図３】
0003233407.tif 000005
【図４】
0003233407.tif 000006
【図５】
0003233407.tif 000007
【図６】
0003233407.tif 000008
【図７】
0003233407.tif 000009
【図８】
0003233407.tif 000010
【図９】
0003233407.tif 000011